(57)【要約】【課題】美観を損なうことなく、キッチン用品を載置し、あるいは吊り下げて簡便に収納できるシンク用回動棚を提供する。【解決手段】シンク６の後部フランジ面７に設けられる棚であって、該棚は水道カラン８の後側左右に立設された支持脚部１とこの支持脚部１に連設されるフレーム部３とからなり、該フレーム部３はピボット２によって前後に回動自在とされるとともに、該フレーム部３はハンガー部４を有する。好ましくは、上記フレーム部３は上下に伸縮自在とされ、上記棚の背面には水切り板５が付設される。【選択図】図１
2006166950.tif 000002
【特許請求の範囲】
【請求項１】
シンクの後部フランジ面に設けられる棚であって、該棚は水道カランの後側左右に立設された支持脚部とこの支持脚部に連設されるフレーム部とからなり、該フレーム部はピボットによって前後に回動自在とされるとともに、該フレーム部はハンガー部を有するシンク用回動棚。
【請求項２】
上記フレーム部は上下に伸縮自在とされた請求項１に記載のシンク用回動棚。
【請求項３】
上記棚の背面に水切り板が付設された請求項１に記載のシンク用回動棚。
【請求項４】
上記シンクが対面キッチン用シンクである請求項１に記載のシンク用回動棚。
【発明の詳細な説明】
【技術分野】
【０００１】
本発明は、シンクに取り付けられる棚に関する。さらに詳しくは、対面キッチン等、オープンキッチンのシンクの後部フランジ面に設けられる棚に関する。
【背景技術】
【０００２】
近年、主婦が調理しながら家族と会話を楽しんだり、仕上がった料理を直接、テーブルに供することができるように、前面が開放された対面キッチンが普及している。しかしながら、上記対面キッチン等、オープンキッチンにおいては、天袋がない場合が多く、また立て掛けるための壁が存在しないため、まな板やふきん等のキッチン用品を手軽に収納するスペースを確保することが困難という問題がある。また、単に上記キッチン用品を収納したとき、収納状態がダイニングから丸見えとなり、美観が損なわれるという問題もある。
【特許文献１】特開２００３−６１７５８号公報（第１−３頁、第４図）
【発明の開示】
【発明が解決しようとする課題】
【０００３】
上記特許文献１の図４には、不使用時には立て掛けておき、裏面をハンギング収納として兼用できる棚をシステムキッチンに用いた技術が開示されている。しかし、上記技術は直ちに対面キッチンに適用できるものとはいえず、対面キッチン等、オープンキッチンにおいて、まな板やふきん等のキッチン用品を手軽に収納できる装置が求められている。本発明はこのような問題を解決するためになされたものであって、ダイニングから見たとき美観を損ねることなく、上記キッチン用品を載置し、あるいは吊り下げて簡便に収納できる棚を提供することをその課題とする。
【課題を解決するための手段】
【０００４】
上記課題を解決するために、本発明においては、つぎのような技術的手段を講じている。すなわち、本発明によれば、シンクの後部フランジ面に設けられる棚であって、該棚は水道カランの後側左右に立設された支持脚部とこの支持脚部に連設されるフレーム部とからなり、該フレーム部はピボットによって前後に回動自在とされるとともに、該フレーム部はハンガー部を有するシンク用回動棚が提供される。
【０００５】
上記フレーム部は上下に伸縮自在とされることが好ましい。伸縮機構はとくに限定されず、例えば、フレーム部を内筒と外筒とからなる二重管構造とし、外筒をスライドさせて所望の位置で内筒と弾性的にしっかりと係止できる係止機構を有するとともに、上記弾性係止を解除すれば再び上下にスライド自在となる構造等、公知の方法を採用することができる。
【０００６】
上記棚の背面に水切り板が付設されることが好ましい。水切り板としては、薄板に多数の孔を穿ったパンチングパネルが好適に用いられる。また、本発明にかかるシンク用回動棚は対面キッチンに備えられたシンクに適用されることが好ましい。
【発明の効果】
【０００７】
請求項１に記載の発明にかかるシンク用回動棚は上記のとおりであり、シンクの後部フランジ面の水道カランの後側左右に立設された支持脚部と、この支持脚部に連設されハンガー部を有するフレーム部とからなり、該フレーム部はピボットによって前後に回動自在とされているため、起立状態で上記ハンガー部にふきんを掛けて収納したり、まな板を立て掛けて収納できるとともに、前方に回動させた状態では、まな板等のキッチン用品を載置し、ダイニングから見えないようにして美観を損なうことなくキッチン用品を収納できる。
【０００８】
上記フレーム部が上下に伸縮自在とされているため、伸張した状態では丈の高いキッチン用品を吊り下げ収納できるとともに、例えば、ふきんを吊り下げたとき、ふきんの下端が後部フランジ面に被らずにきちんと収納することができる。また、上記棚の背面に水切り板、好ましくはパンチングメタルが付設されているため、水を切るとともに、シンクで水を使用したときのダイニング側への水はねを防止できる。
【０００９】
本発明にかかるシンク用回動棚は、対面キッチンに備えられたシンクに適用されたとき、起立状態では、水切り板が、ふきんやまな板等が収納されている状態をダイニングから見えないように目隠し、回動状態では、ダイニングからの視界から消えるため、見栄えよくキッチン用品を収納できるとともに、美観に優れた対面キッチンを提供することができる。
【発明を実施するための最良の形態】
【００１０】
以下、本発明の実施形態について図面を参照して、詳細に説明する。図１は、本発明にかかるシンク用回動棚Ａを示す斜視図であり、該シンク用回動棚Ａの図２は側面図である。図１、図２からよくわかるように、上記シンク用回動棚Ａは対面キッチン用のシンク６の後部フランジ面７に設けられるとともに、水道カラン８の後側左右に立設された支持脚部１とこの支持脚部１に連設されるフレーム部３とからなり、該フレーム部３はピボット２によって前後に回動自在とされている。また、該フレーム部３には平面視コの字型のハンガー部４が設けられ、フレーム部３の背面には水切り板５が付設されている。
【００１１】
フレーム部３は、二重管式の伸縮機構によって接合部３１から上方に伸長可能とされており、収納するキッチン用品の高さによってハンガー部４の位置を調節することができる。図３は、図２に示すフレーム部３を伸ばし、ハンガー部４にふきんＦを掛けた状態を示す側面図である。図３に示す状態においては、ピボット２に内設されたクリックタイプのストッパが弾性力によりシンク用回動棚Ａを起立状態に保っている。上記のように構成されたシンク用回動棚Ａは、該支持脚部１に設けられたピボット２のストッパ機能を解除すれば前方に回動自在となる。
【００１２】
すなわち、図３に示す矢印の方向にしたがって、フレーム部３を上方にさらに伸長させるとともに、ふきんＦを掛けたまま上記ストッパの弾性反発力に抗して前に倒すことにより、シンク用回動棚Ａは水道カラン８を越して回動し、ダイニングからは見えない状態となる。このとき、上記水切り板５は、その左右両端部がシンクのフランジ面の段部に当止して固定され、ダイニングから見たとき視界から消えて、対面キッチンの美観を損なうことを防ぐ。
【００１３】
図４は、シンク用回動棚Ａを前方に回動し、水切り板５の裏面にまな板Ｍを載置した状態を示す斜視図である。図４からよくわかるように、水切り板５の左右両端部はシンク６のフランジ面の段部に当止してしっかりと固定されているため、まな板Ｍを載置できるとともに、調理台としても使用することが可能となる。また、図４において、フレーム部３を縮めることも可能であり、フレーム部３を縮めてシンク６を前広に使用できるとともに、上記と同様に、ダイニングから見たとき美観を損なうことなく、まな板Ｍを収納することができる。
【図面の簡単な説明】
【００１４】
【図１】本発明にかかるシンク用回動棚を示す斜視図である。
【図２】フレーム部  本発明にかかるシンク用回動棚を示す側面図である。
【図３】図２においてフレーム部を伸ばし、ハンガー部にふきんを掛けた状態を示す側面図である。
【図４】上記シンク用回動棚を前方に回動し、水切り板の裏面にまな板を載置した状態を示す斜視図である。
【符号の説明】
【００１５】
Ａ          本発明にかかるシンク用回動棚
Ｆ          ふきん
Ｍ          まな板
１          支持脚部
２          ピボット
３          フレーム部
３１        接合部
４          ハンガー部
５          水切り板
６          シンク
７          後部フランジ面
８          水道カラン
【図１】
2006166950.tif 000003
【図２】
2006166950.tif 000004
【図３】
2006166950.tif 000005
【図４】
2006166950.tif 000006